(57)【要約】      （修正有）【課題】十分な耐久性を有する金属ブラシを用いることにより、舗装道路上における除草作業を極めて効率的に行うことができる舗装道路用除草機を提供する。【解決手段】シャーシ２と、タイヤ（前輪３ａ、後輪３ｂ）と、操作ハンドル５と、原動機４と、動力伝達部６と、水平軸線周りに回転するよう支持されたカップ型ヒネリブラシ９とによって構成され、カップ型ヒネリブラシ９は、外周部が傾斜した皿状のカップと、多数の鋼線材を多数束ねて螺旋状に捻ることにより束ねた状態が維持されるように構成した多数のツイストブラシとによって構成され、各ツイストブラシの基端部側をカップにおいて挟持させ、多数のツイストブラシがカップの中心軸線に対してそれぞれ所定角度をもって傾斜した状態で、カップの外周縁に沿って周方向に隣接するように構成した。【選択図】図１
0003209274.tif 000002
【実用新案登録請求の範囲】
【請求項１】
シャーシと、シャーシを支持するタイヤと、シャーシ上に立設された操作ハンドルと、シャーシ上に固定された原動機と、原動機の動力を伝達する動力伝達部と、動力伝達部の従動軸に接続され、水平軸線周りに回転するよう支持されたカップ型ヒネリブラシとによって構成され、
カップ型ヒネリブラシは、外周部が傾斜した皿状のカップと、多数の鋼線材を多数束ねて螺旋状に捻ることにより束ねた状態が維持されるように構成した多数のツイストブラシとによって構成され、各ツイストブラシの基端部側をカップにおいて挟持させ、多数のツイストブラシがカップの中心軸線に対してそれぞれ所定角度をもって傾斜した状態で、カップの外周縁に沿って周方向に隣接するように構成されていることを特徴とする舗装道路用除草機。
【請求項２】
ツイストブラシの先端が外側となる向きでカップ型ヒネリブラシが取り付けられていることを特徴とする、請求項１に記載の舗装道路用除草機。
【請求項３】
カップ型ヒネリブラシの上半部の半径方向外側、及び、内側のサイドを覆うように、かつ、外側のサイドが開放された状態となるように構成されたカバーが固定され、
先端が外側へ向かって突出するカバーブラシが、カバーの側縁部に沿って円弧状に配置されていることを特徴とする、請求項１又は請求項２に記載の舗装道路用除草機。
【請求項４】
動力伝達部が、原動機の駆動軸の中心軸線周りに所定角度範囲内で回動可能なように支持され、動力伝達部とリンクを介して連結されているレバーを操作することにより、動力伝達部の先端側を上下動させることができるように構成されていることを特徴とする、請求項１〜３のいずれかに記載の舗装道路用除草機。
【考案の詳細な説明】
【技術分野】
【０００１】
本考案は、舗装道路のメンテナンス用の装置であって、舗装道路の際（縁石との境界部）に生えた雑草を除去するための装置に関する。
【背景技術】
【０００２】
舗装道路の際に雑草が生えてしまったような場合、除草作業が必要となるが、従来は、人力による除草や手持ち式の刈払機（ブレード式、又は、ナイロンコード式）等を用いて除草作業が行われていた。
【先行技術文献】
【特許文献】
【０００３】
【特許文献１】特開２０１６−０４７９９２号公報
【考案の概要】
【考案が解決しようとする課題】
【０００４】
しかしながら、人力による除草では、屈みながら特殊な鎌やヘラ等により掻き出す作業の連続で、時間が掛るのと人件費が掛り、大変な労力であった。また、手持ち式の刈払機を用いて舗装道路上における除草作業を行う場合、効率よく作業を行うことができないという問題があった。具体的には、ブレード式の刈払機を舗装道路上で用いると、ブレードが舗装面に接触した際にブレードチップが簡単に飛んでしまうという問題があり、また、ナイロンコード式の刈払機は、草の茎や根に対する切断力が十分ではなく、除草作業に時間がかかるほか、舗装道路上で使用すると、ナイロンコードが簡単に摩耗して、交換作業を頻繁に行わなければならないという問題がある。
【０００５】
本考案は、上記のような従来技術における課題を解決しようとするものであって、十分な耐久性を有する金属ブラシを用いることにより、舗装道路上における除草作業を極めて効率的に行うことができる舗装道路用の除草機を提供することを目的とする。
【課題を解決するための手段】
【０００６】
本考案に係る舗装道路用除草機は、シャーシと、シャーシを支持するタイヤと、シャーシ上に立設された操作ハンドルと、シャーシ上に固定された原動機と、原動機の動力を伝達する動力伝達部と、動力伝達部の従動軸に接続され、水平軸線周りに回転するよう支持されたカップ型ヒネリブラシとによって構成され、カップ型ヒネリブラシは、外周部が傾斜した皿状のカップと、多数の鋼線材を多数束ねて螺旋状に捻ることにより束ねた状態が維持されるように構成した多数のツイストブラシとによって構成され、各ツイストブラシの基端部側をカップにおいて挟持させ、多数のツイストブラシがカップの中心軸線に対してそれぞれ所定角度をもって傾斜した状態で、カップの外周縁に沿って周方向に隣接するように構成されていることを特徴としている。
【０００７】
尚、カップ型ヒネリブラシは、ツイストブラシの先端が外側となる向きで取り付けられていることが好ましく、また、カップ型ヒネリブラシの上半部の半径方向外側、及び、内側のサイドを覆うように、かつ、外側のサイドが開放された状態となるように構成されたカバーが固定され、先端が外側へ向かって突出するカバーブラシが、カバーの側縁部に沿って円弧状に配置されていることが好ましい。
【０００８】
更に、動力伝達部が、原動機の駆動軸の中心軸線周りに所定角度範囲内で回動可能なように支持され、動力伝達部とリンクを介して連結されているレバーを操作することにより、動力伝達部の先端側を上下動させることができるように構成されていることが好ましい。
【考案の効果】
【０００９】
本考案に係る舗装道路用除草機は、縁石ブロック等に対して他の要素が干渉することなく、カップ型ヒネリブラシの先端を、舗装道路と縁石ブロックとの境界部に問題なく寄せることができ、また、コシがあり、十分な除草能力、及び、十分な耐久性を有するカップ型ヒネリブラシを採用することにより、舗装道路上における除草作業を極めて効率的に行うことができる。
【図面の簡単な説明】
【００１０】
【図１】図１は、本考案に係る舗装道路用除草機１の側面図である。
【図２】図２は、図１に示す舗装道路用除草機１の正面図である。
【図３】図３は、図１に示すカップ型ヒネリブラシ９の構造を示す断面図である。
【図４】図４は、図１に示す舗装道路用除草機１の使用方法の説明図である。
【考案を実施するための形態】
【００１１】
以下、添付図面に沿って本考案の実施形態について説明する。図１は、本考案に係る舗装道路用除草機１の側面図であり、図２は、その正面図である。図示されているように、この舗装道路用除草機１は、基本的には、シャーシ２、シャーシ２を支持する三つのタイヤ３（一つの前輪３ａ、二つの後輪３ｂ，３ｃ）、シャーシ２上に固定された原動機４（エンジン又は電動モータ）、シャーシ２上に立設された操作ハンドル５、及び、動力伝達部６によって構成されている。
【００１２】
この舗装道路用除草機１は、動力伝達部６の先端において支持される従動軸２５のヘッドに、カップ型ヒネリブラシ９が固定され、このカップ型ヒネリブラシ９が、原動機４から動力伝達部６を介して供給される回転駆動力により、垂直方向へ回転する（水平軸線周りに回転する）ように構成されている。
【００１３】
カップ型ヒネリブラシ９は、図３（カップ型ヒネリブラシ９の断面図）に示すように、一対の二つの金属製カップ（内側カップ１０、及び、外側カップ１１）と、多数のツイストブラシ１２とによって構成されている。
【００１４】
より詳細には、内側カップ１０及び外側カップ１１は、いずれも円盤状の金属板材の外周部１０ａ，１１ａを一方側へ傾斜させて皿状に成形したものであり、それぞれ中心に貫通孔１０ｂ，１１ｂが形成されている。一方、各ツイストブラシ１２は、多数の鋼線材（線径０．５ｍｍ、長さ８０ｍｍ程度）を多数束ねることによって直径１．５ｃｍ程度の束状にし、これを中心軸線周りに螺旋状に捻って、束ねた状態が維持されるようにしたものである。
【００１５】
そして、内側カップ１０が外側カップ１１の内側に重ねられ、内側カップ１０の外周部１０ａと、外側カップ１１の外周部１１ａとの間に各ツイストブラシ１２の基端部側をそれぞれ挟持させ、多数のツイストブラシ１２が、内側カップ１０及び外側カップ１１の中心軸線に対してそれぞれ所定角度をもって傾斜した状態で、内側カップ１０及び外側カップ１１の各外周縁に沿って周方向に隣接するように構成され、図１及び図２に示すように、ツイストブラシの先端が外側（シャーシ２とは反対側）となる向きで取り付けられている。
【００１６】
カップ型ヒネリブラシ９の上半部の半径方向外側には、除草作業時（カップ型ヒネリブラシ９の回転時）における小石等の異物の飛散を防止するためのカバー１３が固定されている。このカバー１３は、カップ型ヒネリブラシ９の上半部の半径方向外側、及び、内側（シャーシ２側）のサイドのみを覆うように構成されており、外側（シャーシ２とは反対側）のサイドについては、図１に示すように開放された状態となっている。尚、カバー１３には、先端が水平方向外側へ向かって突出するカバーブラシ１５が、カバー１３の側縁部に沿って円弧状に配置されている。また、カバー１３の前端には、ゴム製フラップ１４が取り付けられている。
【００１７】
動力伝達部６は、図１に示す原動機４の駆動軸（出力軸）の中心軸線Ｃ１周りに所定角度範囲内で回動可能なように支持されており、レバー７（操作ハンドル５に装着され、動力伝達部６とリンク８を介して連結されている）を、図１に示す位置から下方側（機体前方側）へ操作することにより、動力伝達部６の先端側（従動軸２５側）を、上下動させることができ、従動軸２５のヘッドに装着されているカップ型ヒネリブラシ９の外周部の下端側を、作業対象となる舗装面に対し適切な強さで押し付けることができるようになっている。
【００１８】
本考案の舗装道路用除草機１は上記のような構成に係るものであるところ、舗装道路上における除草作業を極めて効率的に行うことができる。具体的には、舗装道路用除草機１を操作して、図４に示すように、カップ型ヒネリブラシ９を舗装道路Ｇと縁石ブロックＢとの境界部（入隅部）に寄せていき、カップ型ヒネリブラシ９を高速回転させると、雑草Ｄを根元から削って粉砕し、除草することができる。そして、舗装道路用除草機１を縁石ブロックＢに沿ってゆっくりと移動させることにより、舗装道路の際における除草作業を連続して実行することができる。
【００１９】
尚、カップ型ヒネリブラシ９を構成するツイストブラシ１２が、それぞれカップの中心軸線（従動軸２５の中心軸線）に対して９０°の角度をもって支持されている場合や、カバー１３が、外側（シャーシ２とは反対側）のサイドをも覆うように構成されている場合には、従動軸２５のボルト或いはナット、又は、カバー１３の外側サイド部分等が干渉することによって、舗装道路Ｇと縁石ブロックＢとの境界部まで寄せることが難しくなるが、本実施形態においては、上述の通り、カップの中心軸線に対してツイストブラシ１２がそれぞれ所定角度をもって傾斜した状態で固定される構造となっているほか、カバー１３の外側（シャーシ２とは反対側）のサイドが開放された構造となっているため、従動軸２５のボルト、ナット、或いは、カバー１３の外側サイド部分等が干渉することなく、カップ型ヒネリブラシ９の先端を、舗装道路Ｇと縁石ブロックＢとの境界部に問題なく寄せることができる。
【００２０】
一方、図１等に示すようにカバー１３の外側（シャーシ２とは反対側）のサイドが開放された構造となっていると、除草作業時（カップ型ヒネリブラシ９の回転時）において、小石などの異物が飛散してしまうという事態が懸念されるが、本実施形態においては上述の通り、先端が水平方向外側へ向かって突出するカバーブラシ１５が、カバー１３の側縁部に沿って円弧状に配置されているため、異物の飛散を好適に防止できるとともに、カバー１３と縁石ブロックＢとの干渉を回避して、カップ型ヒネリブラシ９の先端を舗装道路Ｇの際まで問題なく寄せることができる。
【００２１】
また、カップ型ヒネリブラシ９は、多数のツイストブラシ１２が放射状に固定される構造となっているため、鋼線材を単純に放射状に固定したカップ型ブラシを用いた場合と比較してブラシにコシがあり、十分な除草能力、及び、十分な耐久性を有し、除草作業を効率よく実施することができる。
【符号の説明】
【００２２】
１：舗装道路用除草機、
２：シャーシ、
３：タイヤ、
３ａ：前輪、
３ｂ，３ｃ：後輪、
４：原動機、
５：操作ハンドル、
６：動力伝達部、
７：レバー、
８：リンク、
９：カップ型ヒネリブラシ、
１０：内側カップ、
１０ａ：外周部、
１０ｂ：貫通孔、
１１：外側カップ、
１１ａ：外周部、
１１ｂ：貫通孔、
１２：ツイストブラシ、
１３：カバー、
１４：ゴム製フラップ、
１５：カバーブラシ、
２５：従動軸、
Ｂ：縁石ブロック、
Ｃ１：駆動軸の中心軸線、
Ｄ：雑草、
Ｇ：舗装道路
【図１】
0003209274.tif 000003
【図２】
0003209274.tif 000004
【図３】
0003209274.tif 000005
【図４】
0003209274.tif 000006